(57)【特許請求の範囲】
【請求項１】
足指に挿通して足指を刺激する足指刺激サポーターであって、
帯状の弾性伸縮性部材からなる本体部と、
前記本体部の両端部近傍に足指を挿通自在とする指挿通部を短辺方向に沿って１箇所以上穿設し、
前記両端部を形成する前記短辺をなす両端縁には、前記本体部よりも厚く突出した間接刺激凸部を形成したことを特徴とする足指刺激サポーター。
【請求項２】
前記指挿通部の開口縁には、前記本体部よりも厚く突出した直接刺激凸部を形成したことを特徴とする請求項１に記載の足指刺激サポーター。
【請求項３】
前記指挿通部は、前記本体部の一方の端部近傍に前記指挿通部を１箇所穿設し、他方の端部近傍に前記指挿通部を２箇所穿設したことを特徴とする請求項１または２に記載の足指刺激サポーター。
【請求項４】
前記本体部の中途部の２箇所を交差して一体に形成することで現出する開口を足挿通部としたことを特徴とする請求項１乃至３のいずれか１項に記載の足指刺激サポーター。
【発明の詳細な説明】
【技術分野】
【０００１】
本発明は、足指に刺激を与えて運動機能の向上や血行促進等を促す足指刺激サポーターに関する。
【背景技術】
【０００２】
従来、足指に様々な刺激を与えることで血行促進や脳の機能改善、筋力向上等を図るためのトレーニング器具や健康器具が多数知られている。
【０００３】
このような現状において、足指に刺激を与えるための器具として、例えば、特許文献１に係る足指間用サポーターが開示されており、本技術は、柔軟性環状体の一部を環状方向と平行するよう４本に分岐した伸縮性の足指間用サポーターである。
【０００４】
当該サポーターは、集束部が足裏に来るように副帯部を各足指の間に装着して、主帯部の略中央を持ち、捻りながら踵方向に引き伸ばすようにして、主帯部が土踏まずより足内側横部を経て踵上部を横断し、足甲上にて分岐部に至るよう装着する。
【０００５】
また、副帯部が各足指間に装着されることにより、各足指に間隙を与え、引き伸ばされている素材の縮弾性により、装着状態を保つと共に、各足指間を踵方向に加圧するとされている。
【先行技術文献】
【特許文献】
【０００６】
【特許文献１】実公平０３−１０１９２９号公報
【発明の概要】
【発明が解決しようとする課題】
【０００７】
確かに、特許文献１に係る足指間用サポーターは、「各足指間に加圧して適度な刺激を与えることで足指の動きを改善し、強化するための補助用具」とされていることから、血行促進や脳の機能改善、筋力向上等を図る上で一定の効果が期待できる。
【０００８】
しかしながら、足指は親指から小指にかけて付根の位置が斜めに変化していること、すなわち、足首を基点とした場合に親指の付根と足首までの距離は小指の付根と足首までの距離よりも長くなる。
【０００９】
従って、１本の柔軟性環状体では副帯部が各指間を加圧する力は親指から小指にかけて減少するため効果が半減してしまうという問題を有している。
【００１０】
また、指間以外の親指と小指の外側には副帯部が位置しないため、これら２本の指に対する加圧が不十分となってしまうという問題を有している。
【００１１】
更に、集束部が足裏に位置するため装着して歩行する際に違和感を覚えてしまうという問題を有している。
【００１２】
本発明は、以上のような事情に鑑みてなされたものであり、足の親指から小指にかけて各指間の付根や各指を略均等に加圧すると共に、装着して歩行しても足裏に違和感を与えることがない足指刺激サポーターを提供することにある。
【課題を解決するための手段】
【００１３】
以上のような目的を達成するために、本発明は以下のようなものを提供する。
【００１４】
請求項１に係る発明では、足指に挿通して足指を刺激する足指刺激サポーターであって、帯状の弾性伸縮性部材からなる本体部と、前記本体部の両端部近傍に足指を挿通自在とする指挿通部を短辺方向に沿って１箇所以上穿設し、前記両端部を形成する前記短辺をなす両端縁には、前記本体部よりも厚く突出した間接刺激凸部を形成したことを特徴とする足指刺激サポーターを提供せんとする。
【００１６】
請求項２に係る発明では、前記指挿通部の開口縁には、前記本体部よりも厚く突出した直接刺激凸部を形成したことを特徴とする請求項１に記載の足指刺激サポーターを提供せんとする。
【００１７】
請求項３に係る発明では、前記指挿通部は、前記本体部の一方の端部近傍に前記指挿通部を１箇所穿設し、他方の端部近傍に前記指挿通部を２箇所穿設したことを特徴とする請求項１または２に記載の足指刺激サポーターを提供せんとする。
【００１８】
請求項４に係る発明では、前記本体部の中途部の２箇所を交差して一体に形成することで現出する開口を足挿通部としたことを特徴とする請求項１乃至３のいずれか１項に記載の足指刺激サポーターを提供せんとする。
【発明の効果】
【００１９】
請求項１記載の発明によれば、足指に挿通して足指を刺激する足指刺激サポーターであって、帯状の弾性伸縮性部材からなる本体部と、本体部の両端部近傍に足指を挿通自在とする指挿通部を短辺方向に沿って１箇所以上穿設したことより、本体部を足首の後方から足の甲側に向けて交差させながら各足指を指挿通部に挿通させ装着するだけで、足の親指から小指にかけて任意の各指間の付根や各指を略均等に加圧することができる。
【００２０】
また、足指刺激サポーターを装着して歩行しても足裏に本体部が位置しないため違和感を与えることがない。
【００２１】
また、本体部の両端部を形成する短辺をなす両端縁には、本体部よりも厚く突出した間接刺激凸部を形成したことより、足の親指から小指にかけて各指間や各指の付根を下方から効率よく加圧することができる。
【００２２】
請求項２記載の発明によれば、指挿通部の開口縁には、本体部よりも厚く突出した直接刺激凸部を形成したことより、足の親指から小指にかけて各指の付根を更に効果的に加圧することができる。
【００２３】
また、足の親指から小指にかけて隣接する各指間を効率的に加圧することができる。
【００２４】
請求項３記載の発明によれば、指挿通部は、本体部の一方の端部近傍に指挿通部を１箇所穿設し、他方の端部近傍に指挿通部を２箇所穿設したことより、本体部の他方の端部に親指と人差指を挿通し、一方の端部にその他の任意の指を挿通することで足の親指から小指にかけて任意の各指間の付根や各指を略均等に加圧することができる。
【００２５】
また、本体部に左右の極性が生じないため装着が楽であり、更に、左右の足の何れに装着することもできる。
【００２６】
請求項４記載の発明によれば、本体部の中途部の２箇所を交差して略一体に形成することで現出する開口を足挿通部としたことより、足のどの部位にどのように装着するか理解が容易なので足指刺激サポーターを直感的に装着することができる。
【図面の簡単な説明】
【００２７】
【図１】本実施形態に係る足指刺激サポーターを足に装着した説明図である。
【図２】（ａ）は本実施形態に係る足指刺激サポーターの平面図で、（ｂ）は（ａ）の部分拡大図で、（ｃ）は（ｂ）の部分断面図である。
【図３】（ａ）は本実施形態に係る足指刺激サポーターの部分拡大平面図で、（ｂ）は（ａ）の部分断面図で、（ｃ）〜（ｅ）は（ａ）の他の部分断面図である。
【図４】（ａ）は本実施形態に係る足指刺激サポーターの部分拡大平面図で、（ｂ）は（ａ）の部分断面図で、（ｃ）は（ａ）の他の部分断面図である。
【図５】（ａ）は本実施形態に係る足指刺激サポーターの部分拡大平面図で、（ｂ）は（ａ）の部分断面図で、（ｃ）は（ａ）の他の部分断面図である。
【図６】（ａ）は本実施形態に係る足指刺激サポーターの部分拡大平面図で、（ｂ）は（ａ）の部分断面図で、（ｃ）は本実施形態に係る他の足指刺激サポーターの部分拡大平面図で、（ｄ）は（ｃ）の部分断面図である。
【図７】（ａ）〜（ｆ）は本実施形態に係る他の足指刺激サポーターの簡易平面図である。
【図８】（ａ）、（ｂ）は本実施形態に係る足指刺激サポーターの平面図である。
【図９】（ａ）は本実施形態に係る足指刺激サポーターの変形例の平面図で、（ｂ）は（ａ）の部分拡大図である。
【発明を実施するための形態】
【００２８】
本発明に係る足指刺激サポーターの要旨は、足指に挿通して足指を刺激する足指刺激サポーターであって、帯状の弾性伸縮性部材からなる本体部と、本体部の両端部近傍に足指を挿通自在とする指挿通部を短辺方向に沿って１箇所以上穿設したことを特徴とする。すなわち、足の親指から小指にかけて任意の各指間の付根や各指を略均等に加圧すると共に、装着して歩行しても足裏に違和感を与えることがない足指刺激サポーターの提供を図ろうとするものである。
【００２９】
以下、本発明に係る足指刺激サポーター１ａ，１ｂの一実施形態について図面を参照しながら説明する。また、本説明中において左右同一又は左右対称の構造や部品については、原則として同一の符号を付し、左右何れか一方のみを説明して、他方については説明を適宜省略する。
【００３０】
本発明の実施形態に係る足指刺激サポーター１ａは、図１、図２（ａ）〜（ｃ）に示すように、足指Ｆに挿通して足指Ｆを刺激する足指刺激サポーター１ａであって、帯状の弾性伸縮性部材からなる本体部２と、本体部２の両端部近傍に足指Ｆを挿通自在とする指挿通部１０を短辺方向に沿って１箇所以上穿設している。
【００３１】
このように形成した足指刺激サポーター１ａは、足首Ｎの後方から足の甲側に向けて交差させながら本体部２の一方の端部に形成した指挿通部１０に親指ｆ１と人差指ｆ２を挿通し、他方の端部に形成した指挿通部１０に薬指ｆ４と小指ｆ５を挿通することで足の親指ｆ１から小指ｆ５にかけて任意の各指間の付根や各指を略均等に加圧することができる。
【００３２】
以下、本実施形態に係る足指刺激サポーター１ａの各部について具体的に詳述する。
【００３３】
本体部２は、所定幅の帯状の弾性伸縮性部材からなり、具体的には、ナイロンやポリウレタン、ポリエステル等の合成樹脂材料からなるが、弾性シリコン樹脂やゴム材等のように弾性と伸縮性を共に備えた材料で一体に形成してもよい。
【００３４】
本体部２は、図２（ａ）に示すように、本体部２の両端部近傍に各足指を挿通自在とする指挿通部１０を短辺方向に沿って隣接して各２箇所穿設している。
【００３５】
なお、指挿通部１０は、図２（ｂ）、（ｃ）に示すように足指が挿通する程度に略円形に形成しているが、各足指が挿通する限り本体部２に切れ目を形成してスリット状にする等、指挿通部１０の形状等は柔軟に変形・変更が可能である。
【００３６】
また、図８（ａ）に示すように、本体部２の一方の端部近傍に指挿通部１０を２箇所穿設し、他方の端部近傍に指挿通部１０を３箇所穿設することや、図８（ｂ）に示すように、本体部２の一方の端部近傍に指挿通部１０を１箇所穿設し、他方の端部近傍に指挿通部１０を３箇所穿設する等、指挿通部１０の数は本実施形態に限定されるものではない。
【００３７】
更に、足指刺激サポーター１ａ、（１ｂ）の変形例として、図９（ａ）、（ｂ）に示すように、平面視略Ｔ字状の２つの指挟持突片３０を本体部２の端縁３から外側に向けて突設し、端縁３と連接した指挟持突片３０を構成する指挟持片３１の左右の開口３２を指挿通部１０として形成することもできる。
【００３８】
また、本実施形態では、図３（ａ）、（ｂ）に示すように、本体部２の両端部を形成する短辺をなす両端縁３，３には、本体部２よりも厚く突出した間接刺激凸部４を形成している。
【００３９】
具体的には、間接刺激凸部４は、足指刺激サポーター１ａを装着した際に足指の付根に位置するものであり、本体部２の表裏面から突出するように本体部２に対して当該部分の縫製を繰り返すことで他の部分よりも厚く形成しているが、間接刺激凸部４は、例えば、本体部２と同様の材料を細く帯状に形成したものを本体部２と縫合する等、本発明の要旨の範囲内において種々の変形・変更が可能である。
【００４０】
なお、間接刺激凸部４は、図３（ｃ）に示すように、本体部２の端面から突出するように形成することや、図３（ｄ）に示すように、本体部２の表裏面と端面、すなわち端部全体から突出するように形成してもよく、また、本体部２と間接刺激凸部４を弾性シリコン樹脂等で一体に形成してもよい。
【００４１】
更に、図３（ｅ）に示すように、間接刺激凸部４の内部に弾性シリコン樹脂やゴム材等のように弾性と伸縮性を共に備えた棒状の材料からなる間接刺激部材５を短辺に沿って内設することもできる。
【００４２】
なお、間接刺激部材５を間接刺激凸部４に内設するか否か、及び、どの部分の間接刺激凸部４に内設するか否かは任意である。
【００４３】
また、本実施形態では、図４（ａ）、（ｂ）に示すように、指挿通部１０の開口縁１１には、本体部２よりも厚く突出した直接刺激凸部１２を形成している。
【００４４】
具体的には、直接刺激凸部１２は、足指刺激サポーター１ａを装着した際に足指の付根に直接位置するものであり、本体部２の表裏面から突出するように本体部２に対して当該部分の縫製を繰り返すことで他の部分よりも厚く形成しているが、直接刺激凸部１２は、例えば、本体部２と同様の材料を細く円環状に形成したものを本体部２と縫合する等、本発明の要旨の範囲内において種々の変形・変更が可能である。
【００４５】
なお、直接刺激凸部１２は、本体部２と直接刺激凸部１２を弾性シリコン樹脂等で一体に形成してもよい。
【００４６】
また、図４（ｃ）に示すように、直接刺激凸部１２の内部に弾性シリコン樹脂やゴム材等のように弾性と伸縮性を共に備えた円環状の材料からなる直接刺激部材１３を開口縁１１に沿って内設することもできる。
【００４７】
なお、直接刺激部材１３を直接刺激凸部１２に内設するか否か、及び、どの部分の直接刺激凸部１２に内設するか否かは任意である。
【００４８】
また、直接刺激凸部１２は、足指刺激サポーター１ａを装着した際に足指の付根に直接位置する限り、例えば、図５（ａ）、（ｂ）に示すように、指挿通部１０の開口縁１１の一部のみに形成してもよい。
【００４９】
なお、この場合も、図５（ｃ）に示すように、直接刺激凸部１２の内部に直接刺激部材１３を内設することができる。
【００５０】
また、本実施形態に係る足指刺激サポーター１ａは、図６（ａ）、（ｂ）や図６（ｃ）、（ｄ）に示すように、上述した間接刺激凸部４と直接刺激凸部１２を組み合わせて構成することもできる。
【００５１】
また、図７（ａ）に示すように、本体部２の中途部の２箇所を交差して一体に形成することで現出する開口を足首Ｎが挿通可能な足挿通部２０として構成した足指刺激サポーター１ｂとすることもできる。
【００５２】
なお、本体部２が交差する箇所は、縫合にて一体に接続することや、本体部２が面一となるように一体に形成するだけでなく、一方の本体部に他方の本体部を挿通自在に形成して交差する本体部２が足の動きに合わせて互いに摺動移動自在に形成することもできる。
【００５３】
この場合も、図７（ｂ）〜（ｆ）に示すように、本体部２の両端部を形成する短辺をなす両端縁３，３や指挿通部１０の開口縁１１には、上述した間接刺激凸部４や直接刺激凸部１２を形成することや、内部に間接刺激部材５や直接刺激部材１３を内設することができ、また、これらを組み合わせて構成することもできる。
【００５４】
以上、説明したように本実施形態に係る足指刺激サポーター１ａ，１ｂは構成している。
【００５５】
このように足指刺激サポーター１ａ，１ｂは、足指Ｆに挿通して足指Ｆを刺激する足指刺激サポーター１ａ，１ｂであって、帯状の弾性伸縮性部材からなる本体部２と、本体部２の両端部近傍に足指Ｆを挿通自在とする指挿通部１０を短辺方向に沿って１箇所以上穿設したことより、本体部２を足首Ｎの後方から足の甲側に向けて交差させながら各足指を指挿通部１０に挿通させ装着するだけで、足の親指ｆ１から小指ｆ５にかけて任意の各指間の付根や各指を略均等に加圧することができる。
【００５６】
また、足指刺激サポーター１ａ，１ｂを装着して歩行しても足裏に本体部２が位置しないため違和感を与えることがない。
【００５７】
また、本体部２の両端部を形成する短辺をなす両端縁３，３には、本体部２よりも厚く突出した間接刺激凸部４を形成したことより、足の親指ｆ１から小指ｆ５にかけて各指間や各指の付根を下方から効率よく加圧することができる。
【００５８】
また、指挿通部１０の開口縁１１には、本体部２よりも厚く突出した直接刺激凸部１２を形成したことより、足の親指ｆ１から小指ｆ５にかけて各指の付根を更に効果的に加圧することができる。
【００５９】
更に、足の親指ｆ１から小指ｆ５にかけて隣接する各指間を効率的に加圧することができる。
【００６０】
また、指挿通部１０は、本体部２の両端部近傍に各２箇所穿設したことより、本体部２の一方の端部に親指ｆ１と人差指ｆ２を挿通し、他方の端部に薬指ｆ４と小指ｆ５を挿通することで足の親指ｆ１から小指ｆ５にかけて各指間の付根や各指を略均等に加圧することができる。
【００６１】
また、本体部２に左右の極性が生じないため装着が楽であり、更に、左右の足の何れに装着することもできる。
【００６２】
しかも、本体部２の中途部の２箇所を交差して略一体に形成することで現出する開口を足挿通部２０としたことより、足のどの部位にどのように装着するか理解が容易なので足指刺激サポーター１ｂを直感的に装着することができる。
【００６３】
以上、本発明の本実施形態に係る足指刺激サポーター１ａ，１ｂの好ましい実施形態について説明したが、本発明は特定の実施形態に限定されるものではなく、種々の変形・変更が可能である。
【符号の説明】
【００６４】
Ｆ  足指
１ａ  足指刺激サポーター
１ｂ  足指刺激サポーター
２  本体部
３  端縁
４  間接刺激凸部
１０  指挿通部
１１  開口縁
１２  直接刺激凸部
２０  足挿通部
【要約】
【課題】足の親指から小指にかけて各指間の付根や各指を略均等に加圧すると共に、装着して歩行しても足裏に違和感を与えることがない足指刺激サポーターを提供する。
【解決手段】本発明に係る足指刺激サポーター１ａ，１ｂは、足指Ｆに挿通して足指を刺激する足指刺激サポーター１ａであって、帯状の弾性伸縮性部材からなる本体部２と、本体部２の両端部近傍に足指Ｆを挿通自在とする指挿通部１０を短辺方向に沿って１箇所以上穿設したことを特徴とする。
【選択図】図１【図１】
0006810495.tif 000002
【図２】
0006810495.tif 000003
【図３】
0006810495.tif 000004
【図４】
0006810495.tif 000005
【図５】
0006810495.tif 000006
【図６】
0006810495.tif 000007
【図７】
0006810495.tif 000008
【図８】
0006810495.tif 000009
【図９】
0006810495.tif 000010